(57)【要約】      （修正有）【課題】換気扇を簡単かつ容易に、しかも速やかに建物に取り付け、また取り外しする。【解決手段】換気扇は、枠体１に、突出位置と引込位置とに出入りできるように連結してなる固定片３と、この固定片３を枠体１の外面から弾性的に突出させて、突出部３Ｔを建物の固定穴の内面に押圧して枠体１を固定穴に抜けない状態に固定する突出弾性体４と、固定片３を突出位置と引込位置とに移動させて、突出位置と引込位置とに停止させるストッパ５と、このストッパ５に連結されて、ストッパ５でもって固定片３を突出位置と引込位置とに切り換える操作部６とを備えている。換気扇は、操作部６を操作して、ストッパ５で固定片３を引込位置に停止させて、枠体１を固定穴に脱着し、操作部６を操作して、ストッパ５で固定片３を突出位置に停止させて、突出位置の固定片３を突出弾性体４で固定穴の内面に押圧して、枠体１を建物の固定穴に固定する。【選択図】図３
2013092278.tif 000002
【特許請求の範囲】
【請求項１】
建物の壁(50)に貫通して設けている固定穴(51)に脱着できるように挿入して取り付けられる枠体(1)の内側にファンモータ(11)を設けている換気扇であって、
前記枠体(1)に、突出位置と引込位置とに出入りできるように連結してなる固定片(3)と、
この固定片(3)を、枠体(1)の外面から弾性的に突出させて、突出部(3T)を建物の固定穴(51)の内面に押圧して枠体(1)を固定穴(51)に抜けない状態に固定する突出弾性体(4)と、
前記固定片(3)を突出位置と引込位置とに移動させて、突出位置と引込位置とに停止させるストッパ(5)と、
このストッパ(5)に連結されて、ストッパ(5)でもって前記固定片(3)を突出位置と引込位置とに切り換える操作部(6)とを備えており、
前記操作部(6)が操作されて、ストッパ(5)でもって前記固定片(3)が引込位置に停止されて、枠体(1)が固定穴(51)に脱着され、
前記ストッパ(5)でもって固定片(3)が突出位置に停止されて、突出位置の固定片(3)が突出弾性体(4)で固定穴(51)の内面に押圧されて、枠体(1)が建物の固定穴(51)に固定されるようにしてなる換気扇。
【請求項２】
前記操作部(6)が、前記ストッパ(5)に連結してなる引っ張り紐(6A)を有し、この引っ張り紐(6A)が引っ張られる毎に、前記ストッパ(5)が固定片(3)を突出位置と引込位置とに切り換えるようにしてなる請求項１に記載される換気扇。
【請求項３】
前記固定片(3)が、傾動できるように中間を枠体(1)に連結されると共に、第１の端部(3A)には前記ストッパ(5)が連結されて、第２の端部(3B)には前記固定穴(51)の内面を押圧して抜けない状態に固定する係止部(8)を設けており、
前記ストッパ(5)で前記固定片(3)が傾動されて、突出位置と引込位置とに切り換えられるようにしてなる請求項１又は２に記載される換気扇。
【請求項４】
前記枠体(1)の両側に一対の固定片(3)を設けており、一対の固定片(3)が回転軸(7)を介して連結されて回転軸(7)を介して連動するようにしてなる請求項３に記載される換気扇。
【請求項５】
前記固定片(3)の第１の端部(3A)に、引っ張りバネの突出弾性体(4)を連結している請求項３に記載される換気扇。
【請求項６】
前記ストッパ(5)が、下端に前記引っ張り紐(6A)を連結して、上端を前記固定片(3)の第１の端部(3A)に突出弾性体(4)を介して連結している上下ロッド(21)と、この上下ロッド(21)を上下に移動できるように連結して、上下ロッド(21)を枠体(1)に上下方向に移動できるように連結してなるホルダー(20)と、このホルダー(20)に連結されて、前記引っ張り紐(6A)で上下ロッド(21)が下方に引き下げられる毎に、上下ロッド(21)を上昇位置と降下位置とに停止するストッパ機構(30)とを備え、
前記引っ張り紐(6A)が上下ロッド(21)を引き下げる毎に、上下ロッド(21)が上昇位置と降下位置とに停止され、上下ロッド(21)を降下位置として前記固定片(3)を突出位置に、上下ロッド(21)を上昇位置として前記固定片(3)を引込位置とするようにしてなる請求項３ないし５のいずれかに記載される換気扇。
【請求項７】
前記ストッパ機構(30)が、前記ホルダー(20)の上下ロッド(21)との対向面に設けてなる上下ガイド溝(31)と、この上下ガイド溝(31)に沿って移動する移動体(32)と、前記上下ロッド(21)の表面であって前記上下ガイド溝(31)との対向面に設けられて、前記移動体(32)を上下方向に移動させることなく水平方向に移動自在に案内してなる横ガイド溝(33)とで構成され、
前記上下ガイド溝(31)は、上下方向に延びる上部ガイド溝(31A)と、この上部ガイド溝(31A)の下端に２分岐して連結している降下ガイド溝(31B)及び上昇ガイド溝(31C)とを設けて、降下ガイド溝(31B)と上昇ガイド溝(31C)との間にはストッパ凸部(34)を設けており、
降下ガイド溝(31B)と上昇ガイド溝(31C)とは、互いに下端を連結して、下側連結部(31D)の下縁には、中央を山形に上方に突出してなる分離突出部(35)を設けており、
前記ストッパ凸部(34)は、その下面に、上昇する移動体(32)を案内して上昇を阻止するストッパ凹部(34B)を設けており、このストッパ凹部(34B)は、ここに案内する移動体(32)を分離突出部(35)よりも前記上昇ガイド溝(31C)側の上方に配置しており、
さらに、前記ストッパ凸部(34)は、その上縁を山形に突出させて頂上(34A)を前記上昇ガイド溝(31C)側に配置して、上部ガイド溝(31A)に沿って降下する移動体(32)を降下ガイド溝(31B)に案内する構造としており、
前記引っ張り紐(6A)が引っ張られて、上下ロッド(21)が降下されると、上下ロッド(21)の横ガイド溝(33)に案内してなる移動体(32)が上部ガイド溝(31A)から降下ガイド溝(31B)を沿って移動され、引っ張り紐(6A)が引っ張られない状態で、上下ロッド(21)が突出弾性体(4)に引き上げられて移動体(32)がストッパ凹部(34B)に案内されて降下位置に停止され、
この状態で、引っ張り紐(6A)が引っ張られて上下ロッド(21)が降下されると、移動体(32)が上昇ガイド溝(31C)に案内され、引っ張り紐(6A)が引っ張られない状態で、移動体(32)が上昇ガイド溝(31C)から上部ガイド溝(31A)に沿って移動され、上下ロッド(21)が上昇位置に上昇されるようにしてなる請求項３ないし６のいずれかに記載される換気扇。
【発明の詳細な説明】
【技術分野】
【０００１】
本発明は、建物の壁に設けている固定穴に取り付けられる換気扇に関し、とくに、固定穴から簡単に脱着できる換気扇に関する。
【背景技術】
【０００２】
換気扇は、建物に設けている固定穴に枠体を挿入して固定される。従来の換気扇は、建物の固定穴に確実に固定するために、枠体から外側に突出する止ネジを設けている。この換気扇は、止ネジをねじ込んで、その先端を固定穴の内面に押し付けて枠体を固定穴に抜けないように固定している。換気扇は、汚れた状態から綺麗に洗浄するためには、建物から外す必要がある。この換気扇は、ファンを外し、止ネジを緩めて固定穴から外すことができる。ただ、この構造の換気扇は、止ネジを緩めるのが簡単でなく、全てのユーザーが簡単に脱着できない欠点がある。
【０００３】
この欠点を解消するために、脱着を容易にする換気扇が開発されている。（特許文献１及び２参照）
【先行技術文献】
【特許文献】
【０００４】
【特許文献１】特開平７−１５１３６４号公報
【特許文献２】特開平７−２１７９５７号公報
【発明の概要】
【発明が解決しようとする課題】
【０００５】
これ等の公報に記載する換気扇は、枠体の外側に弾性的に突出するストッパ片を設けている。枠体を建物の固定穴に挿入すると、ストッパ片が固定穴の内面を弾性的に押圧して、抜けないように固定される。換気扇を外すときは、ストッパ片に設けている操作部を引き下げて、ストッパ片が固定穴の内面を弾性的に押圧するのを解除する。操作部は、枠体の内側に設けている。この操作部が引き下げられると、ストッパ片を固定穴の内面から離す位置に保持する機構も設けている。したがって、操作部を引き下げてストッパ片を固定穴から離した状態で、換気扇を固定穴から引き抜くことができる。
【０００６】
以上の換気扇は、枠体の内側に設けているストッパ片の操作部を引き下げて、建物の固定穴から引き抜くことができるので、止ネジを緩める換気扇に比べるとユーザーが簡単に建物から外すことができる。ただ、この換気扇は、枠体の内側に設けている操作部をユーザーが引き下げるので、全てのユーザーが簡単に換気扇を脱着できない欠点がある。
【０００７】
本発明は、さらに以上の換気扇の欠点を解決することを目的に開発されたものである。本発明の重要な目的は、全てのユーザーが簡単かつ容易に、しかも速やかに建物から外すことができ、また簡単に取り付けできる換気扇を提供することにある。
【課題を解決するための手段及び発明の効果】
【０００８】
本発明の換気扇は、建物の壁５０に貫通して設けている固定穴５１に脱着できるように挿入して取り付けられる枠体１の内側にファンモータ１１を設けている。換気扇は、枠体１に、突出位置と引込位置とに出入りできるように連結してなる固定片３と、この固定片３を枠体１の外面から弾性的に突出させて、突出部３Ｔを建物の固定穴５１の内面に押圧して枠体１を固定穴５１に抜けない状態に固定する突出弾性体４と、固定片３を突出位置と引込位置とに移動させて、突出位置と引込位置とに停止させるストッパ５と、このストッパ５に連結されて、ストッパ５でもって固定片３を突出位置と引込位置とに切り換える操作部６とを備えている。換気扇は、操作部６を操作して、ストッパ５で固定片３を引込位置に停止させて、枠体１を固定穴５１に脱着し、操作部６を操作して、ストッパ５で固定片３を突出位置に停止させて、突出位置の固定片３を突出弾性体４で固定穴５１の内面に押圧して、枠体１を建物の固定穴５１に固定する。
【０００９】
以上の換気扇は、全てのユーザーが簡単かつ容易に、しかも速やかに建物から外すことができ、また簡単に取り付けできる。それは、以上の換気扇が、突出位置と引込位置とに出入りできるように枠体に連結してなる固定片を、突出弾性体で枠体の外面から弾性的に突出させて、先端で建物の固定穴の内面を押圧して枠体を固定穴に抜けない状態に固定するからである。さらに、以上の換気扇は、操作部を操作して、ストッパで固定片を突出位置に停止させるので、簡単かつ容易に、しかも速やかに建物の固定穴に脱着できる。
【００１０】
本発明の換気扇は、操作部６が、ストッパ５に連結してなる引っ張り紐６Ａを有し、この引っ張り紐６Ａが引っ張られる毎に、ストッパ５が固定片３を突出位置と引込位置とに切り換えることができる。
【００１１】
本発明の換気扇は、固定片３を、傾動できるように中間を枠体１に連結し、第１の端部３Ａにはストッパ５を連結し、第２の端部３Ｂには固定穴５１の内面を押圧して抜けない状態に固定する係止部８を設けて、ストッパ５で固定片３を傾動させて突出位置と引込位置とに切り換えることができる。
【００１２】
本発明の換気扇は、枠体１の両側に一対の固定片３を設けて、一対の固定片３を回転軸７を介して連結して、回転軸７を介して連動させることができる。
【００１３】
本発明の換気扇は、固定片３の第１の端部３Ａに、引っ張りバネの突出弾性体４を連結することができる。
【００１４】
本発明の換気扇は、ストッパ５が、下端に引っ張り紐６Ａを連結して、上端を固定片３の第１の端部３Ａに突出弾性体４を介して連結している上下ロッド２１と、この上下ロッド２１を上下に移動できるように連結して、上下ロッド２１を枠体１に上下方向に移動できるように連結してなるホルダー２０と、このホルダー２０に連結されて、引っ張り紐６Ａで上下ロッド２１を下方に引き下げる毎に、上下ロッド２１を上昇位置と降下位置とに停止するストッパ機構３０とを備えることができる。このストッパ５は、引っ張り紐６Ａが上下ロッド２１を引き下げる毎に、上下ロッド２１を上昇位置と降下位置とに停止させて、上下ロッド２１を降下位置として固定片３を突出位置に、上下ロッド２１を上昇位置として固定片３を引込位置とすることができる。
【００１５】
本発明の換気扇は、ストッパ機構３０を、ホルダー２０の上下ロッド２１との対向面に設けてなる上下ガイド溝３１と、この上下ガイド溝３１に沿って移動する移動体３２と、上下ロッド２１の表面であって上下ガイド溝３１との対向面に設けられて、移動体３２を上下方向に移動させることなく水平方向に移動自在に案内してなる横ガイド溝３３とで構成することができる。上下ガイド溝３１は、上下方向に延びる上部ガイド溝３１Ａと、この上部ガイド溝３１Ａの下端に２分岐して連結している降下ガイド溝３１Ｂ及び上昇ガイド溝３１Ｃとを設けて、降下ガイド溝３１Ｂと上昇ガイド溝３１Ｃと間にはストッパ凸部３４を設けて、降下ガイド溝３１Ｂと上昇ガイド溝３１Ｃとは、互いに下部を連結して、下側連結部３１Ｄの下縁には、中央を山形に上方に突出してなる分離突出部３５を設けることができる。さらに、ストッパ凸部３４は、その下面に、上昇する移動体３２を案内して上昇を阻止するストッパ凹部３４Ｂを設けて、このストッパ凹部３４Ｂは、ここに案内する移動体３２を分離突出部３５よりも上昇ガイド溝３１Ｃ側の上方に配置して、さらに、ストッパ凸部３４は、その上縁を山形に突出させて頂上３４Ａを上昇ガイド溝３１Ｃ側に配置して、上部ガイド溝３１Ａに沿って降下する移動体３２を降下ガイド溝３１Ｂに案内する構造とすることができる。ストッパ機構３０は、引っ張り紐６Ａが引っ張られて、上下ロッド２１が降下されると、上下ロッド２１の横ガイド溝３３に案内してなる移動体３２が上部ガイド溝３１Ａから降下ガイド溝３１Ｂを沿って移動され、引っ張り紐６Ａが引っ張られない状態で、上下ロッド２１が突出弾性体４に引き上げられて移動体３２がストッパ凹部３４Ｂに案内されて上下ロッド２１を降下位置に停止し、この状態で、引っ張り紐６Ａが引っ張られて上下ロッド２１が降下されると、移動体３２が上昇ガイド溝３１Ｃに案内され、引っ張り紐６Ａが引っ張られない状態で、移動体３２を上昇ガイド溝３１Ｃから上部ガイド溝３１Ａに沿って移動させて、上下ロッド２１を上昇位置に上昇させることができる。
【図面の簡単な説明】
【００１６】
【図１】本発明の一実施例にかかる換気扇の底面斜視図である。
【図２】図１に示す換気扇の垂直断面図である。
【図３】図１に示す換気扇の分解斜視図である。
【図４】図３に示す換気扇の枠体を建物の固定穴に脱着する状態を示す分解断面図である。
【図５】図４に示す換気扇の枠体を建物の固定穴に固定する状態を示す断面図である。
【図６】ストッパの一例を示す分解斜視図である。
【図７】図６に示すストッパの上下ガイド溝の正面図であって、移動体が降下する軌跡を示す図ある。
【図８】図６に示すストッパの上下ガイド溝の正面図であって、移動体が上昇する軌跡を示す図ある。
【図９】本発明の他の一例にかかる換気扇の枠体を建物の固定穴に脱着する状態を示す分解断面図である。
【図１０】図９に示す換気扇の枠体を建物の固定穴に固定する状態を示す断面図である。
【発明を実施するための形態】
【００１７】
以下、本発明の実施例を図面に基づいて説明する。ただし、以下に示す実施例は、本発明の技術思想を具体化するための換気扇を例示するものであって、本発明は換気扇を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１ないし図５に示す換気扇は、建物の壁５０に貫通して設けている固定穴５１に脱着自在に連結して、固定穴５１に固定している。建物の壁５０は、換気扇を取り付ける位置に、室内と室外とを連通する四角形の開口部を設けて固定穴５１としている。図の換気扇は、壁５０に開口された固定穴５１に、屋内側から屋外側に向かって挿入して定位置に配置している。壁５０を貫通して配置される換気扇は、外側面を外部に表出させて、室内の空気を外部に排気する。ただ、換気扇は、壁５０を貫通して表出する外側面を、ダクトを介して外部に連通することもできる。
【００１９】
図１ないし図３の換気扇は、固定穴５１に脱着できるように挿入して取り付けられる枠体１と、この枠体１の内側に固定されるファンモータ１１と、ファンモータ１１で回転されるファン１２と、枠体１の屋外側に設けられる開閉シャッター１３と、枠体１の屋内側に連結されて表面をカバーするカバー部１４とを備えている。
【００２０】
枠体１は、金属板を角筒状に成形したもので、壁５０に開口された固定穴５１に挿入できる形状に成形している。枠体１は、その外形を、固定穴５１の内形にほぼ等しくしており、固定穴５１の内面に沿って出し入れして、固定穴５１に脱着できるようにしている。さらに、枠体１は、屋内側の端縁に、外周方向に突出するフランジ部２を設けている。フランジ部２の外形は、枠体１の外形に沿う方形状であって、固定穴５１の内形よりも大きくしている。枠体１は、フランジ部２が壁５０の内面に当接するように固定穴５１に挿入されて、固定穴５１の定位置に連結される。
【００２１】
ファンモータ１１は、枠体１の内側に固定される固定部１５を介して、枠体１の中央部に固定している。固定部１５は、上下の両端を枠体１の上面と下面の内側面に固定しており、その中央部にファンモータ１１を固定している。ファンモータ１１は、回転軸１１Ａが枠体１の脱着方向となるように、すなわち、回転軸１１Ａが壁５０に対して垂直方向となるように固定部１５に固定している。ファンモータ１１の回転軸１１Ａには、ファン１２が脱着自在に取り付けられている。ファン１２は、回転軸１１Ａが挿通される円柱状の固定部１２Ａの外周に複数のフィン１２Ｂを備えている。ファン１２は、空転することなくファンモータ１２で駆動されるように回転軸１１Ａに固定している。
【００２２】
カバー部１４は、枠体１の外側に脱着できるように連結される。カバー部１４は、図示しないが、上側と下側を枠体に係止して、枠体１に脱着できるように連結される。図２の換気扇は、カバー部１４に取っ手１４Ａを連結している。取っ手１４Ａは上端と下端とをカバー部１４の上下の外側に固定している。このカバー部１４は、取っ手１４Ａを掴んで簡単に枠体１に脱着自できる特徴がある。ただし、カバー部には、両側を掴んで枠体に脱着できるので、必ずしも取っ手を設ける必要はない。
【００２３】
開閉シャッター１３は、複数の開閉プレート１６を枠体１の屋外側の開口部に開閉自在に設けている。開閉シャッター１３は、ファンモータ１１が駆動される状態で開放されて、室内の空気を通過させて外部に排気し、ファンモータ１１が停止する状態で閉塞される。図２に示す開閉シャッター１３は、開閉機構１７を介して開閉できる構造としている。図の開閉機構１７は、２枚の開閉プレート１６に連結されて、２枚の開閉プレート１６を同期して開位置と閉位置とに傾動させる駆動プレート１７Ａと、この駆動プレート１７Ａに連結されて、駆動プレート１７Ａを上昇位置と降下位置とに停止させる開閉ストッパ１７Ｂと、この開閉ストッパ１７Ｂを操作する操作部１７Ｃとして、開閉ストッパ１７Ｂから下方に延長して設けた紐体とを備えている。この開閉機構１７は、操作部１７Ｃである紐体を下方に引く毎に、開閉ストッパ１７Ｂを介して駆動プレート１７Ａを上昇位置と降下位置とに停止させて、開閉プレート１６を開位置と閉位置とに移動できる構造としている。
【００２４】
さらに、図に示す換気扇は、開閉機構１７の操作部１７Ｃを、ファンモータ１１のオンオフを制御するスイッチ（図示せず）の操作部にも併用している。すなわち、この換気扇は、操作部１７Ｃである紐体を引いて、開閉機構１７で開閉プレート１６を開位置とする状態では、ファンモータ１１のスイッチをオンに切り換えてファンモータ１１を駆動し、さらに、操作部１７Ｃである紐体を引いて開閉機構１７で開閉プレート１６を閉位置とする状態では、ファンモータ１１のスイッチをオフに切り換えてファンモータ１１を停止させる。
【００２５】
ただ、開閉シャッターは、必ずしも開閉機構で開閉する構造とする必要はなく、ファンモータで回転されるファンの風圧で開閉する構造とすることもできる。この換気扇は、操作部である紐体をファンモータのスイッチに連動して、この紐体を操作してファンモータのオンオフを制御し、あるいは紐体を設けることなく、ファンモータの電源の供給を制御する電源スイッチを設けて、この電源スイッチ操作して、ファンモータをオンオフに制御することができる。
【００２６】
さらに、図３ないし図５に示す換気扇は、壁５０の固定穴５１に脱着自在に連結すると共に、固定穴５１に枠体１を挿入する状態で抜けないように固定するために、脱着固定機構１０を介して枠体１を固定穴５１に固定している。脱着固定機構１０は、枠体１に、突出位置と引込位置とに出入りできるように連結してなる固定片３と、この固定片３を、枠体１の外面から弾性的に突出させて、突出部３Ｔを建物の固定穴５１の内面に押圧させて枠体１を固定穴５１に抜けない状態に固定する突出弾性体４と、固定片３を突出位置と引込位置とに移動させて、突出位置と引込位置とに停止させるストッパ５と、このストッパ５に連結されて、ストッパ５でもって固定片３を突出位置と引込位置とに切り換える操作部６とを備えている。
【００２７】
固定片３は、金属プレート又は金属ロッドを所定の形状に加工したもので、枠体１に対して、突出位置と引込位置とに出入りできるように枠体１に連結している。図３の固定片３は、枠体１の側面と平行な垂直面内で傾動できるように枠体１の側面に配置している。枠体１の側面に配置される固定片３は、突出位置に傾動される状態で、固定片３の一部である突出部３Ｔを枠体１の上面から上方に突出させ、引込位置に傾動される状態で、突出部３Ｔを枠体１の上面よりも下方に引き込む構造としている。図の固定片３は金属プレートで、平面状の固定片３を、枠体１の側面と平行な姿勢で配置している。図の固定片３は、枠体１の側面の外側面に配置しているが、固定片は側面の内側面に配置することもできる。
【００２８】
固定片３は、回転軸７を介して枠体１に連結している。回転軸７は、固定片３を枠体１の側面と平行な面内で傾動できるように、側面対して垂直な姿勢で枠体１に連結している。図の回転軸７は金属ロッドで、軸受１８を介して枠体１の上面に回転できるように連結している。ただ、回転軸は、枠体の両側の側面を貫通する構造として、枠体の内部に配置することもできる。図の回転軸７は、枠体１の両側まで延長しており、両端に一対の固定片３Ｘ、３Ｙを固定している。一対の固定片３Ｘ、３Ｙは、回転軸７を介して連動するように連結している。この構造は、枠体１の両側に設けた固定片３Ｘ、３Ｙを同時に傾動させて突出位置と引込位置とに出入りさせる。枠体１の両側に一対の固定片３Ｘ、３Ｙを備える脱着固定機構１０は、両側の固定片３Ｘ、３Ｙで固定穴５１の内面を同時に押圧するので、枠体１をより強固に固定穴５１に固定できる。ただ、脱着固定機構は、枠体の片側にのみ固定片を設けることもできる。
【００２９】
図２の換気扇は、一方の固定片３Ｙの係止部８を、他方の固定片３Ｘの係止部８よりも高く突出させている。この構造の換気扇は、両方の固定片３Ｘ、３Ｙを均等に固定穴の内面に突出させて確実に固定できる。枠体の両側に固定片３Ｘ、３Ｙを設けて、一方の固定片３Ｘに突出弾性体を連結している換気扇は、片方の固定片３Ｘを突出弾性体４で直接に固定穴の内面に押圧し、他方の固定片３Ｙを回転軸７を介して固定穴の内面に押圧する。回転軸７を介して突出弾性体４が固定穴の内面に押圧する片方の固定片３Ｙは、直接に突出弾性体４で固定穴の内面に押圧される固定片３Ｘよりも、固定穴の内面を押圧する状態での突出量が少なくなる。回転軸７の捻れが、固定片３Ｙの突出量を少なくするからである。図２に示すように、固定片３Ｙを固定片３Ｘよりも高く突出させる換気扇は、回転軸７の捻れても、両方の固定片を同じように固定穴の内面に突出させて、換気扇を確実に固定穴に固定できる。
【００３０】
図３ないし図５に示す固定片３Ｘは、傾動できるように中間を回転軸７を介して枠体１に連結すると共に、第１の端部３Ａにはストッパ５を連結して、第２の端部３Ｂには、枠体１から突出して固定穴５１の内面を押圧する係止部８を設けている。ここで、回転軸７の両側に固定される一対の固定片３Ｘ、３Ｙは、一方の固定片３Ｘ（図３においては、手前側の固定片３Ｘ）には、ストッパ５に連結される第１の端部３Ａを設けているが、他方の固定片３Ｙ（図３においては、奥側の固定片３Ｙ）には、第１の端部を設けていない。この固定片３Ｙは、一端を回転軸７に固定すると共に、他端である第２の端部３Ｂに係止部８を設けている。この固定片３Ｙは、回転軸７を介して連結される、第１の端部３Ａを有する固定片３Ｘを介してストッパ５に連結している。
【００３１】
固定片３の係止部８は、固定片３を突出位置に傾動させる状態において、枠体１から突出して固定穴５１の内面を押圧して抜けない状態に固定する。図の係止部８は、固定穴５１の内面に向かって突出する山形としている。この形状の係止部８は、固定穴５１の内面を押圧する状態で、固定穴５１の内面との接触面積を小さくし、押圧する圧力を大きくすることで、枠体１が固定穴５１から抜けるのを有効に防止できる。例えば、固定穴５１の内側面を木製の木枠とする構造においては、先端を山形とする係止部８は、係止部８の先端縁を木枠の表面に強く押圧し、あるいは表面に食い込ませる係止状態となるように押圧して抜けないように固定できる。ただ、係止部は、固定穴の内面を押圧する状態で抜けない状態にできる種々の形状とすることができる。また、係止部は、その先端に、軟質のプラスチックやゴム等からなる摩擦係数の高い押圧部材を固定することもできる。この固定片も、固定穴の内面を押圧する押圧部材と固定穴の内面との摩擦を大きくして、枠体を抜けないように固定できる。さらに、固定穴は、係止部と対向する内面に、係止部を案内する凹部を設けることもできる。この構造は、枠体から突出する係止部を固定穴の凹部に挿入して、枠体を抜けないように、より強固に固定できる。
【００３２】
突出弾性体４は、固定片３を枠体１の外面から弾性的に突出させて、固定片３の突出部３Ｔである係止部８を固定穴５１の内面に押圧させる。図の突出弾性体４は、固定片３の第１の端部３Ａに連結している引っ張りバネである。引っ張りバネである突出弾性体４は、上端を固定片３の第１の端部３Ａに連結して、下端をストッパ５に連結している。この突出弾性体４は、下端がストッパ５を介して下方に引かれる状態で、固定片３の第１の端部３Ａを下方に降下させて、第２の端部３Ｂに設けた係止部８を枠体１から上方に弾性的に突出させる。したがって、突出弾性体４の弾性力は、下端がストッパ５で下方に引かれる状態で、枠体１から弾性的に突出する係止部８で固定穴５１の内面を押圧して、枠体１を固定穴５１に抜けない状態に固定できる大きさとする。
【００３３】
ストッパ５は、図３ないし図８に示すように、下端に操作部６としての引っ張り紐６Ａを連結して、上端を固定片３の第１の端部３Ａに連結している上下ロッド２１と、この上下ロッド２１を上下に移動できるように連結して、上下ロッド２１を枠体１に上下方向に移動できるように連結してなるホルダー２０と、このホルダー２０に連結されて、引っ張り紐６Ａで上下ロッド２１が下方に引き下げられる毎に、上下ロッド２１を上昇位置と降下位置とに停止するストッパ機構２２とを備えている。
【００３４】
上下ロッド２１は、上下に延びるロッド状で、上下に移動できるようにホルダー２０に連結している。上下ロッド２１は、上下に延びるロッド部２１Ａの上下の端部を、ホルダー２０の上下面から突出させており、ホルダー２０を上下に貫通する状態でホルダー２０の内部に収納されている。ホルダー２０から上方に突出するロッド部２１Ａの上端は、引っ張りバネの突出弾性体４を介して固定片３の体１の端部３Ａに連結している。さらに、上下ロッド２１は、ホルダー２０の内部における上下の移動を制限するために、ロッド部２１Ａの中央に、ロッド部２１Ａよりも大きな外形のストッパ部２１Ｂを設けている。この上下ロッド２１は、ホルダー２０の内部を上下に移動する状態で、ストッパ部２１Ｂの上下面をホルダー２０の内面に当接させて、上下の移動を制限するようにしている。
【００３５】
ホルダー２０は、中空状のケーシングで、上下ロッド２１を上下に貫通させる状態で内部に収納している。中空のホルダー２０は、その内部に、上下ロッド２１のストッパ部２１Ｂを上下に移動させながら収納する可動スペース２２を設けている。図６のホルダー２０は、箱形の本体ケース２０Ａと、この本体ケース２０Ａの開口部を閉塞する閉塞プレート２０Ｂを備えている。本体ケース２０Ａは、底プレート２３の周囲に、一対の側壁２４Ａと上側周壁２４Ｂと下側周壁２４Ｃとからなる周壁２４を一体的に成形して設けている。さらに、本体ケース２０Ａは、対向する一対の側壁２４Ｂの中間に、上下に延びる中間壁２５も備えている。この本体ケース２０Ａは、一方の側壁２４Ｂと中間壁２５との間であって、上側周壁２４Ｂと下側周壁２４Ｃの間に可動スペース２２を設けている。上側周壁２４Ｂと下側周壁２４Ｃは、上下ロッド２１のロッド部２１Ａを通過させるがストッパ部２１Ｂを通過させない開口部２６を設けている。可動スペース２２は、上下ロッド２１のストッパ部２１Ｂを上下に移動できるように上下に延長して設けており、上下に移動するストッパ部２１Ｂを上側周壁２４Ｂと下側周壁２４Ｃの内面に当接させて、上下の移動を制限するようにしている。ホルダー２０は、可動スペース２２の内部に上下ロッド２１のストッパ部２１Ｂを収納する状態で、開口部が閉塞プレート２０Ｂで閉塞される。閉塞プレート２０Ｂは、係止構造で本体ケース２０Ａに連結されて、外れないように固定される。
【００３６】
ストッパ機構３０は、図６に示すように、ホルダー２０の内面であって、上下ロッド２１との対向面に設けてなる上下ガイド溝３１と、この上下ガイド溝３１に沿って移動する移動体３２と、上下ロッド２１の表面であって上下ガイド溝３１との対向面に設けられて、移動体３２を上下方向に移動させることなく水平方向に移動自在に案内する横ガイド溝３３とで構成している。図６に示すストッパ５は、ホルダー２０の可動スペース２２に、ストッパ機構３０を設けている。図のストッパ５は、ホルダー２０の可動スペース２２の内面であって、本体ケース２０Ａの底プレート２３に上下ガイド溝３１を設けて、この可動スペース２２を移動する上下ロッド２１のストッパ部２１Ｂに横ガイド溝３３を設けている。
【００３７】
上下ガイド溝３１は、図６ないし図８に示すように、上下方向に延びる上部ガイド溝３１Ａと、この上部ガイド溝３１Ａの下端に２分岐して連結している降下ガイド溝３１Ｂ及び上昇ガイド溝３１Ｃとを備えている。さらに、上下ガイド溝３１は、降下ガイド溝３１Ｂと上昇ガイド溝３１Ｃとの間にストッパ凸部３４を設けると共に、降下ガイド溝３１Ｂと上昇ガイド溝３１Ｃの下部を互いに連結して、下側連結部３１Ｄの下縁には、中央を山形に上方に突出してなる分離突出部３５を設けている。ストッパ凸部３４は、その下端面に、上昇する移動体３２を案内して上昇を阻止するストッパ凹部３５Ｂを設けている。このストッパ凹部３５Ｂは、ここに案内する移動体３２を分離突出部３５の頂上３５Ａよりも上昇ガイド溝３１Ｃ側の上方に配置している。さらに、ストッパ凸部３４は、その上縁を山形に突出させて頂上を上昇ガイド溝３１Ｃ側に配置して、上部ガイド溝３１Ａに沿って降下する移動体３２を降下ガイド溝３１Ｂに案内する構造としている。
【００３８】
移動体３２は、上下ガイド溝３１と横ガイド溝３３に沿って移動する球体としている。この球体は、ボールベアリングで、上下ガイド溝３１と横ガイド溝３３に沿って転動しながら、上下ロッド２１を所定の軌跡に沿って上下に移動させる。
【００３９】
横ガイド溝３３は、図６に示すように、上下ロッド２１の中間に設けたストッパ部２１Ｂの表面であって、底プレート２３との対向面に水平方向に設けている。このガイド溝３３は、移動体３２を上下方向に移動させることなく水平方向にのみ移動させる。図に示す横ガイド溝３３は、横断面形状を半円形状としている。ただ、横ガイド溝は、移動体を移動自在に案内する他の形状とすることもできる。
【００４０】
以上のストッパ５は、引っ張り紐６Ａで上下ロッド２１が下方に引き下げられる毎に、以下のようにして上下ロッド２１を上昇位置と降下位置とに停止させる。
［上下ロッド２１を降下位置に移動させる工程］
上下ロッド２１が上昇位置にある状態から引っ張り紐６Ａを下方に引き下げて、上下ロッド２１を降下させると、上下ロッド２１の横ガイド溝３３に案内してなる移動体３２は、図７の軌跡で示すように、上昇ガイド溝３１Ｃから降下ガイド溝３１Ｂに沿って移動し、降下ガイド溝３１Ｂの最下点まで移動する。この状態で、引っ張り紐６Ａを下方に引くのを止めると、上下ロッド２１が突出弾性体４に引き上げられて、移動体３２が下側連結部３１Ｄを上昇して、ストッパ凸部３４の下面に設けたストッパ凹部３４Ｂに案内される。この状態で、移動体３２はストッパ凸部３４によって上昇が阻止されて、上下ロッド２１が降下位置で停止する。
【００４１】
［上下ロッド２１を上昇位置に移動させる工程］
上下ロッド２１が降下位置にある状態から引っ張り紐６Ａを下方に引き下げて、上下ロッド２１を降下させると、上下ロッド２１の横ガイド溝３３に案内してなる移動体３２は、図８の軌跡で示すように、ストッパ凸部３４のストッパ凹部３４Ｂから真下に移動し、分離突出部３５の傾斜面３５Ｂに沿って降下して、上昇ガイド溝３１Ｃの最下点まで移動する。この状態で、引っ張り紐６Ａを引くのを止めると、上下ロッド２１が突出弾性体４に引き上げられて、横ガイド溝３３に案内してなる移動体３２が上昇ガイド溝３１Ｃから上部ガイド溝３１Ａに沿って上昇する。上昇する上下ロッド２１は、上側周壁２４Ｂの内面に当接するストッパ部２１Ｂによって上昇が阻止されて、上昇位置で停止する。
【００４２】
図のストッパ５は、降下された上下ロッド２１を、ロッド部２１Ａの上端に連結された突出弾性体４の弾性力で上方に引き上げている。ただ、ストッパは、図示しないが、上下ロッドを上方に付勢する専用の弾性体を備えて、この弾性体の弾性力で上下ロッドを上方に押し上げることもできる。
【００４３】
以上のストッパ５は、ホルダー２０に連結されて上下に移動する上下ロッド２１をストッパ機構３０で上昇位置と降下位置とに移動させる構造としている。ただ、ストッパは、上下ロッドを上昇位置と降下位置とに停止させるストッパ機構を以上の構造には特定せず、上下ロッドを上昇位置と降下位置とに停止できる他の全ての構造が使用できる。
【００４４】
また、以上のストッパ５は、上下に移動する上下ロッド２１を上昇位置と降下位置とに停止させることによって、この上下ロッド２１に連結された固定片３を突出位置を引込位置とに移動させる構造としている。ただ、ストッパは、必ずしも上昇位置と降下位置とに停止する上下ロッドを介して固定片を突出位置を引込位置とに移動させる必要はなく、固定片を突出位置と引込位置とに移動できる他の全ての構造が使用できる。
【００４５】
操作部６は、ストッパ５に連結してなる引っ張り紐６Ａを備える。図の換気扇は、ホルダー２０の下端から突出する上下ロッド２１のロッド部２１Ａの下端に引っ張り紐６Ａを連結して操作部６としている。この脱着固定機構１０は、操作部６の引っ張り紐６Ａを引っ張る毎に、ストッパ５が固定片３を突出位置と引込位置とに切り換える。
【００４６】
さらに、図に示す脱着固定機構１０は、突出位置にある固定片３を、引込位置に移動するように付勢する引込弾性体９を備えている。図の引込弾性体９は、固定片３の第２の端部３Ｂに連結している引っ張りバネである。引っ張りバネである引込弾性体９は、上端を固定片３の第２の端部３Ｂに連結して、下端を枠体１に連結している。この引込弾性体９は、固定片３の第２の端部３Ｂを常に下向きに付勢して、突出位置にある固定片３を引込位置に移動させる方向に付勢している。この脱着固定機構１０は、ストッパ５を降下位置として、ストッパ５に連結された突出弾性体４が固定片３の第１の端部３Ａを下方に降下させる状態では、突出弾性体４の弾性力で固定片３の突出部３Ｔを枠体１から弾性的に突出させ、ストッパ５を上昇位置とする状態では、固定片３の第２の端部３Ｂに連結している引込弾性体９が固定片３の第２の端部３Ｂを下方に降下させて固定片３を引込位置とする。したがって、この脱着固定機構１０は、ストッパ５の降下位置と上昇位置において、固定片３を突出位置と引込位置とに移動させて、突出位置においては、突出部３Ｔで固定穴５１の内面を弾性的に押圧できるように、突出弾性体４と引込弾性体９の弾性力を調整してバランスさせている。ただ、脱着固定機構は、必ずしも引込弾性体を設ける必要はない。それは、ストッパによって固定片の第１の端部を押し上げて、固定片を引込位置に移動させることもできるからである。
【００４７】
以上の換気扇は、以下のようにして建物の固定穴５１に挿入して固定し、また、固定穴５１から取り外す。
［換気扇を建物の固定穴５１に固定する工程］
（１）図４に示すように、操作部６である引っ張り紐６Ａを操作して上下ロッド２１を上昇位置とし、固定片３を引込位置とする。
（２）枠体１を固定穴３１に挿入する。枠体１は、図５に示すように、フランジ部２が壁５０の内面に当接するまで挿入する。
（３）操作部６である引っ張り紐６Ａを操作して上下ロッド２１を降下位置とする。この状態で、固定片３は突出位置に移動して突出部３Ｔである係止部８を枠体１から突出させて固定穴５１の内面を押圧する。突出位置の固定片３は、突出弾性体４の弾性力によって係止部８の先端を固定穴５１の内面に弾性的に押圧させて、枠体１を固定穴５１に抜けない状態で固定する。
【００４８】
［換気扇を建物の固定穴５１から取り外す工程］
（１）図５に示すように、固定片３が突出位置にある状態から、操作部６である引っ張り紐６Ａを操作して上下ロッド２１を上昇位置とし、固定片３を引込位置とする。
（２）固定片３が枠体１から突出しない状態で、図４に示すように、枠体１を固定穴３１から引き出す。
【００４９】
以上の脱着固定機構１０は、引っ張り紐６Ａで上下ロッド２１を引き下げる毎に、ストッパ５が上下ロッド２１を上昇位置と降下位置とに停止して、固定片３を突出位置と引込位置とに移動する。図に示す固定片３は、第１の端部３Ａにストッパ５を連結し、第２の端部３Ｂに係止部８を設けて、中間部に回転軸７を設けているので、ストッパ５で上下ロッド２１を降下位置とする状態で固定片３を突出位置とし、上下ロッド２１を上昇位置とする状態で固定片３を引込位置とする。ただ、脱着固定機構は、、上下ロッドを降下位置とする状態で固定片を引込位置に、上下ロッドを上昇位置とする状態で固定片を突出位置とすることもできる。この構造の脱着固定機構を図９と図１０に示す。
【００５０】
図９と図１０に示す脱着固定機構１０は、金属プレートからなる固定片３をＬ字状に折曲している。Ｌ字状の固定片３は、折曲部を回転軸７を介して回転できるように枠体１に連結すると共に、第１の端部３Ａの先端をストッパ５に連結して、第２の端部３Ｂを突出弾性体４を介して枠体１に連結している。第１の端部３Ａの先端は、紐体１９またはロッドを介してストッパ５に連結している。さらに、この固定片３は、第１の端部３Ａの中間部に、上方に突出する係止部８を設けている。図に示す固定片３は、第１の端部３Ａに係止部を設けてストッパ５を連結し、第２の端部３Ｂに突出弾性体４を連結して、中間部に回転軸７を設けているので、ストッパ５で上下ロッド２１を上昇位置とする状態で固定片３を突出位置とし、上下ロッド２１を降下位置とする状態で固定片３を引込位置とする。
【００５１】
この換気扇は、以下のようにして建物の固定穴５１に挿入して固定し、また、固定穴５１から取り外す。
［換気扇を建物の固定穴５１に固定する工程］
（１）図９に示すように、操作部６である引っ張り紐６Ａを操作して上下ロッド２１を降下位置とし、固定片３を引込位置とする。
（２）枠体１を固定穴３１に挿入する。枠体１は、図１０に示すように、フランジ部２が壁５０の内面に当接するまで挿入する。
（３）操作部６である引っ張り紐６Ａを操作して上下ロッド２１を上昇位置とする。この状態で、固定片３は突出位置に移動して係止部８を枠体１から突出させて固定穴５１の内面を押圧する。突出位置の固定片３は、突出弾性体４の弾性力によって係止部８の先端を固定穴５１の内面に弾性的に押圧させて、枠体１を固定穴５１に抜けない状態で固定する。
【００５２】
［換気扇を建物の固定穴５１から取り外す工程］
（１）図１０に示すように、固定片３が突出位置にある状態から、操作部６である引っ張り紐６Ａを操作して上下ロッド２１を降下位置とし、固定片３を引込位置とする。
（２）固定片３が枠体１から突出しない状態で、図９に示すように、枠体１を固定穴３１から引き出す。
【符号の説明】
【００５３】
１…枠体
２…フランジ部
３…固定片                        ３Ｘ…固定片
３Ｙ…固定片
３Ａ…第１の端部
３Ｂ…第２の端部
３Ｔ…突出部
４…突出弾性体
５…ストッパ
６…操作部                        ６Ａ…引っ張り紐
７…回転軸
８…係止部
９…引込弾性体
１０…脱着固定機構
１１…ファンモータ                １１Ａ…回転軸
１２…ファン
１３…開閉シャッター
１４…カバー部                    １４Ａ…取っ手
１５…固定部
１６…開閉プレート
１７…開閉機構                    １７Ａ…駆動プレート
１７Ｂ…開閉ストッパ
１７Ｃ…操作部
１８…軸受
１９…紐体
２０…ホルダー                    ２０Ａ…本体ケース
２０Ｂ…閉塞プレート
２１…上下ロッド                  ２１Ａ…ロッド部
２１Ｂ…ストッパ部
２２…可動スペース
２３…底プレート
２４…周壁                        ２４Ａ…側壁
２４Ｂ…上側周壁
２４Ｃ…下側周壁
２５…中間壁
２６…開口部
３０…ストッパ機構
３１…上下ガイド溝                ３１Ａ…上部ガイド溝
３１Ｂ…降下ガイド溝
３１Ｃ…上昇ガイド溝
３１Ｄ…下側連結部
３２…移動体
３３…横ガイド溝
３４…ストッパ凸部                ３４Ａ…頂上
３４Ｂ…ストッパ凹部
３５…分離突出部                  ３５Ａ…頂上
３５Ｂ…傾斜面
５０…壁
５１…固定穴
【図１】
2013092278.tif 000003
【図２】
2013092278.tif 000004
【図３】
2013092278.tif 000005
【図４】
2013092278.tif 000006
【図５】
2013092278.tif 000007
【図６】
2013092278.tif 000008
【図７】
2013092278.tif 000009
【図８】
2013092278.tif 000010
【図９】
2013092278.tif 000011
【図１０】
2013092278.tif 000012